(57)【要約】      （修正有）【課題】子機から親機への呼出しがない待受時、子機から親機への呼出時、及び子機から呼出確認音が放音される当該呼出確認音の受信時において、子機の消費電力を低減して省電力化を図る。【解決手段】子機１から親機２への呼出しがない待受時、子機１から親機２への呼出時、及び子機１の子機スピーカ１０５から呼出確認音が放音される当該呼出確認音の受信時において、子機電源回路１０８の動作を停止させるとともに、この子機電源回路１０８の入力インピーダンスを高インピーダンスに保持し、親機２から子機１に送出される呼出確認音をベースバンドで伝送させて子機スピーカ１０５を駆動する。【選択図】図１
2011205306.tif 000002
【特許請求の範囲】
【請求項１】
子機（１）から伝送路（Ｌ）を経由して親機（２）を呼出し、前記子機の子機マイク（１０２）及び子機スピーカ（１０５）と前記親機の親機マイク（２０５）及び親機スピーカ（２０８）との間で音声信号を搬送波で送受信して通話を成立させるドアホン装置であって、
前記親機は、前記子機からの呼出を検出して呼出音信号を生成し前記親機スピーカから呼出音として放音するとともに、前記呼出音信号をベースバンドで前記子機に送出して前記子機スピーカを駆動させ呼出確認音として放音するための親機制御回路（２１４）を備え、
前記子機は、待受時、前記呼出時、前記呼出確認音の受信時において、子機用電源を給電する子機電源回路（１０８）の動作を停止させるとともに、前記子機電源回路の入力インピーダンスを前記呼出確認音の周波数帯域に対して高インピーダンスに保持するための高インピーダンス形成手段（１０９、１１０、１１５）と、前記子機スピーカから出力させる前記音声信号を増幅するための子機スピーカアンプ（１０６）と、前記子機スピーカアンプにて増幅させる前記音声信号を復調するための子機復調回路（１０７）と、前記待受時、前記呼出時、前記呼出確認音の受信時において、前記子機スピーカアンプ及び前記子機復調回路をそれぞれ非能動とし、前記呼出確認音を前記子機スピーカから放音させるための確認音放音制御手段（１１３、１１４、１１５）とを備えることを特徴とするドアホン装置。
【請求項２】
前記子機は、前記通話の成立時において、前記子機電源回路の入力インピーダンスを前記高インピーダンスから低インピーダンスに切り換えて保持し、前記親機からの通話時電源が給電される前記子機電源回路を動作させるための低インピーダンス形成手段（１０９、１１０、１１５）を備えることを特徴とする請求項１記載のドアホン装置。
【請求項３】
前記子機は、前記通話の成立時において、前記子機スピーカアンプ及び前記子機復調回路をそれぞれ能動とし、前記子機スピーカから前記音声信号を出力させるための受話出力制御手段（１１４、１１５）を備えることを特徴とする請求項１又は請求項２記載のドアホン装置。
【発明の詳細な説明】
【技術分野】
【０００１】
本発明は、伝送路を経由して接続される子機及び親機の間で通話を成立させるための音声信号を搬送波で送受信するドアホン装置に係り、特に、親機からの給電により駆動する子機の消費電力を低減して省電力化を図るドアホン装置に関する。
【背景技術】
【０００２】
従来から、この種のドアホン装置として、ドアホン子機から通信線を経由してインターホン親機を呼出し、インターホン親機とドアホン子機との両者間で、ＦＭ変調された音声信号を相互伝送して通話を成立させるインターホンシステムが開示されている（例えば、特許文献１を参照。）。
【０００３】
また、ドアホン子機の呼出ボタンが押圧操作されたとき、インターホン親機で呼出音を発生するにあたっては、親機からの電源供給により伝送線路に予め重畳されている直流電源の電圧レベルが電圧降下したことを呼出検出回路が検出し、この呼出検出回路からの呼出信号を受信した呼出音生成回路にて生成される呼出音信号を親機スピーカに送出することにより、親機スピーカから呼出音を鳴動させる機能（呼出報知機能）を有するインターホン装置が開示されている（例えば、特許文献２を参照。）。
【０００４】
さらに、親機の親機スピーカから鳴動させる呼出音を呼出確認音として、玄関子機の子機スピーカから鳴動させる機能（呼出確認機能）を有するドアホン装置が開示されている（例えば、特許文献３を参照。）。
【先行技術文献】
【特許文献】
【０００５】
【特許文献１】特開７−６６８８２号公報
【特許文献２】特開２００４−１７９９５６号公報
【特許文献３】特開２０００−１０１７２９号公報
【発明の概要】
【発明が解決しようとする課題】
【０００６】
しかしながら、背景技術に記載した特許文献１のインターホンシステムに、特許文献２のインターホン装置が有する電源供給機能及び呼出報知機能と、特許文献３のドアホン装置が有する呼出確認機能とをそれぞれ組み合わせるにあたって、例えば、ドアホン子機（子機、玄関子機）の消費電力を低減して省電力化を図るためには、インターホン親機（親機）の親機スピーカからの呼出音の鳴動時において、インターホン親機（親機）からドアホン子機（子機、玄関子機）への給電をオン状態とし、その鳴動動作の終了後、当該給電をオフ状態に切り換える必要がある。
【０００７】
また、ドアホン子機（子機、玄関子機）の子機スピーカから鳴動させる呼出確認音の音量は、通常、呼出者が確認できる程度のレベルとされ、インターホン親機（親機）の親機スピーカから鳴動させる呼出音の音量と比較して大きくはなく、子機スピーカ用のパワーアンプは必須でないものと考えられている。
【０００８】
本発明は、これらの難点を解消するためになされたもので、子機から親機への呼出しがない待受時、子機から親機への呼出時、及び子機の子機スピーカから呼出確認音が放音される当該呼出確認音の受信時において、子機電源回路の動作を停止させることにより、当該子機の消費電力を低減して省電力化を図るドアホン装置を提供することを目的としている。
【課題を解決するための手段】
【０００９】
前述の目的を達成するため、本発明の第１の態様であるドアホン装置は、子機から伝送路を経由して親機を呼出し、子機の子機マイク及び子機スピーカと親機の親機マイク及び親機スピーカとの間で音声信号を搬送波で送受信して通話を成立させる当該装置である。親機は、子機からの呼出を検出して呼出音信号を生成し親機スピーカから呼出音として放音するとともに、呼出音信号をベースバンドで子機に送出して子機スピーカを駆動させ呼出確認音として放音するための親機制御回路を備えている。子機は、待受時、呼出時、呼出確認音の受信時において、子機用電源を給電する子機電源回路の動作を停止させるとともに、子機電源回路の入力インピーダンスを呼出確認音の周波数帯域に対して高インピーダンスに保持するための高インピーダンス形成手段と、子機スピーカから出力させる音声信号を増幅するための子機スピーカアンプと、子機スピーカアンプにて増幅させる音声信号を復調するための子機復調回路と、待受時、呼出時、呼出確認音の受信時において、子機スピーカアンプ及び子機復調回路をそれぞれ非能動とし、呼出確認音を子機スピーカから放音させるための確認音放音制御手段とを備えている。
【００１０】
また、本発明の第２の態様であるドアホン装置は、本発明の第１の態様において、子機は、子機は、通話の成立時において、子機電源回路の入力インピーダンスを高インピーダンスから低インピーダンスに切り換えて保持し、親機からの通話時電源が給電される子機電源回路を動作させるための低インピーダンス形成手段を備えている。
【００１１】
また、本発明の第３の態様であるドアホン装置は、本発明の第１の態様又は第２の態様において、子機は、通話の成立時において、子機スピーカアンプ及び子機復調回路をそれぞれ能動とし、子機スピーカから音声信号を出力させるための受話出力制御手段を備えている。
【発明の効果】
【００１２】
本発明のドアホン装置によれば、子機から親機への呼出しがない待受時、子機から親機への呼出時、及び子機の子機スピーカから呼出確認音が放音される当該呼出確認音の受信時において、子機電源回路の動作を停止させるとともに、当該子機電源回路の入力インピーダンスを高インピーダンスに保持し、親機から子機に送出される呼出確認音をベースバンドで伝送させて子機スピーカを（直接）駆動することにより、子機の消費電力を低減して省電力化を図ることができる。一方、子機及び親機の間で音声信号が送受信される通話の成立時においては、親機からの通話時電源が給電される子機電源回路を動作させることにより、音声信号を搬送波で送受信することができる。
【図面の簡単な説明】
【００１３】
【図１】本発明の実施例によるドアホン装置の具体的な構成を示す回路ブロック図。
【図２】本発明の実施例によるドアホン装置において、子機及び親機を接続する伝送路上に重畳される子機用電源（待受時電源、通話時電源）のレベル変化を示す電圧遷移図である。
【発明を実施するための形態】
【００１４】
以下、本発明のドアホン装置を適用した最良の実施の形態例について、図面を参照して説明する。
【００１５】
図１は、本発明の実施例によるドアホン装置の具体的な構成を示す回路ブロック図であり、伝送路Ｌを経由して接続される子機１及び親機２の間で音声（送話音声、受話音声）信号を搬送波で送受信して通話を成立させるものである。
【００１６】
子機１は、通常、住戸玄関等の住戸外に設置されるものであり、呼出ボタン１００、呼出負荷抵抗１０１、子機マイク１０２、子機マイクアンプ１０３、子機変調回路１０４、子機スピーカ１０５、子機スピーカアンプ１０６、子機復調回路１０７、子機電源回路１０８、電源入力制御用トランジスタ１０９、電源入力制御用コンデンサ１１０、子機直流阻止コンデンサ１１１、子機インダクタ１１２、呼出確認音用子機カップリングコンデンサ１１３、呼出確認音・受話出力制御用トランジスタ１１４及び子機制御回路１１５が備えられている。
【００１７】
この子機１において、呼出ボタン１００は、当該子機の使用者が親機２の使用者を呼出すために操作するものであって、その一端には、呼出負荷抵抗１０１、子機インダクタ１１２を経由して伝送路Ｌ及び子機直流阻止コンデンサ１１１の間に接続されており、その他端には、基準電位点が接続されている。
【００１８】
子機マイク１０２は、子機１の使用者が親機２の使用者との間で通話を成立させるための音声（送話音声）信号を入力するものであって、一端側であるその出力には、子機マイクアンプ１０３を経由して子機変調回路１０４の入力側が接続されており、その他端側には、基準電位点が接続されている。また、子機マイクアンプ１０３は、子機マイク１０２に入力された音声（送話音声）信号を増幅するためのものである。さらに、子機変調回路１０４は、子機マイクアンプ１０３にて増幅された音声（送話音声）信号を、所定の周波数帯域の搬送波によって振幅変調し、子機直流阻止コンデンサ１１１に送出するためのものである。
【００１９】
子機スピーカ１０５は、子機１の使用者が親機２の使用者との間で通話を成立させるにあたり、親機２の使用者からの音声（受話音声）信号と、子機１からの呼出が親機２にて正常に検出されたことを呼出確認音として放音するための呼出音信号とをそれぞれ出力／放音するものであって、一端側であるその入力には、子機スピーカアンプ１０６を経由して子機復調回路１０７の出力側と、呼出確認音・受話出力制御用１１４のコレクタとがそれぞれ接続されており、他端側には、基準電位点が接続されている。また、子機スピーカアンプ１０６は、子機スピーカ１０５から出力させる音声（受話音声）信号を増幅するためのものである。さらに、子機復調回路１０７は、親機２から伝送路Ｌ、子機直流阻止コンデンサ１１１を経由し伝送されてくる音声（受話音声）信号を復調し、子機スピーカアンプ１０６に送出するためのものである。
【００２０】
子機電源回路１０８は、子機制御回路１１５により制御されるものであって、親機２から伝送路Ｌを経由して給電される通話時電源を受電し、子機用電源として子機１の構成各部／回路に給電するためのものであり、例えば、ＤＣ／ＤＣコンバータや３端子レギュレータが好適とされる。また、電源入力制御用トランジスタ１０９は、親機１から伝送路Ｌを経由して待受時電源又は通話時電源が給電されるとともに、子機電源回路１０８の入力インピーダンスを、呼出確認音の周波数帯域に対して高インピーダンス又は低インピーダンスに保持するための高／低インピーダンス形成手段を構成するものであって、ベースに接続される子機制御回路１１５の制御によりオフ状態／オン状態が切り換えられ、このトランジスタ１０９のコレクタには、電源入力制御用コンデンサ１１０、呼出確認音用子機カップリングコンデンサ１１３、呼出確認音・受話出力制御用トランジスタ１１４を経由して子機スピーカ１０５が接続されており、そのエミッタには、基準電位点が接続されている。さらに、電源入力制御用コンデンサ１１０は、前述の電源入力制御用トランジスタ１０９及び子機制御回路１１５とともに高／低インピーダンス形成手段を構成するものであって、電源入力制御用トランジスタ１０９のスイッチング状態、すなわち、オフ状態／オン状態に対応して電荷を蓄える、又は放電するものである。
【００２１】
子機直流阻止コンデンサ１１１は、子機変調回路１０４から伝送路Ｌに送出される音声（送話音声）信号に重畳された直流成分を遮断するとともに、伝送路Ｌを経由して親機２から伝送されてくる音声（受話音声）信号に重畳された直流成分と、同様にベースバンドで伝送されてくる呼出確認音としての呼出音信号とをそれぞれ遮断し、子機復調回路１０７に送出するためのものである。また、子機インダクタ１１２は、伝送路Ｌを経由して接続された親機２から給電される通話時電源に重畳されて伝送されてくる変調された音声（受話音声）信号の高周波成分を遮断するためのものである。また、呼出確認音用子機カップリングコンデンサ１１３は、前述の呼出音信号の直流成分を遮断するためのものである。
【００２２】
呼出確認音・受話出力制御用トランジスタ１１４は、子機１から親機２への呼出しがない待受時、子機１から親機２への呼出時、及び子機１の子機スピーカ１０５から呼出確認音が放音される当該呼出確認音の受信時において、子機スピーカアンプ１０６及び子機復調回路１０７をそれぞれ非能動とする一方、子機１及び親機２の間で音声信号が送受信される通話の成立時において、子機スピーカアンプ１０６及び子機復調回路１０７をそれぞれ能動とし、子機スピーカ１０５から音声（受話音声）信号を出力させるための確認音放音／受話出力制御手段を構成するものであって、ベースに接続される子機制御回路１１５の制御によりオン状態／オフ状態が切り換えられ、このトランジスタ１１４のエミッタには、呼出確認音用子機カップリングコンデンサ１１３、電源入力制御用コンデンサ１１０を経由して電源入力制御用トランジスタ１０９のコレクタが接続されている。
【００２３】
子機制御回路１１５は、子機１の構成各部／回路を制御するためのものであり、前述の高／低インピーダンス形成手段及び確認音放音／受話出力制御手段をそれぞれ構成している。
【００２４】
次に、親機２は、通常、住戸内に設置されるものであり、通話ボタン２００、呼出検出回路２０１、親機電源回路２０２、電圧レベル可変抵抗２０３、電圧制御用トランジスタ２０４、親機マイク２０５、親機マイクアンプ２０６、親機変調回路２０７、親機スピーカ２０８、親機スピーカアンプ２０９、親機復調回路２１０、親機直流阻止コンデンサ２１１、親機インダクタ２１２、呼出確認音用親機カップリングコンデンサ２１３及び親機制御回路２１４が備えられている。
【００２５】
この親機２において、通話ボタン２００は、親機制御回路２１４により操作検出され、当該親機の使用者が子機１の使用者からの呼出に応答して通話を成立させるための応答操作と、成立中の通話を終了させるための終話操作とをそれぞれ行うものである。
【００２６】
呼出検出回路２０１は、親機電源回路２０２から伝送路Ｌに給電される待受時電源の電圧レベルを監視し、所定のレベル低下（電圧降下）を検出したとき、子機１の使用者からの呼出があると判別して、その旨の呼出信号を親機制御回路２１４に送出するためのものである。なお、呼出検出回路２０１は、親機制御回路２１４と一体で設けることもできる。
【００２７】
親機電源回路２０２は、親機制御回路２１４により制御され、親機２の構成各部／回路への親機用電源（待受時電源、通話時電源）を生成して給電するとともに、伝送路Ｌを経由して接続される子機１への子機用電源を生成するためのものである。また、電圧レベル可変抵抗２０３は、親機電源回路２０２にて生成される子機用電源の電圧レベルを、待受時（待受時電源）又は通話時（通話時電源）で可変するためのものである。さらに、電圧制御用トランジスタ２０４は、電圧レベル可変抵抗２０３の機能を有効又は無効にするためのものであって、ベースに接続される親機制御回路２１４の制御によりオフ状態／オン状態が切り換えられ、そのエミッタは、親機インダクタ２１２を経由して伝送路Ｌ及び親機直流阻止コンデンサ２１１の間に接続されており、そのコレクタには、親機電源回路２０２が接続されている。
【００２８】
親機マイク２０５は、親機２の使用者が子機１の使用者との間で通話を成立させるための音声（送話音声）信号を入力するものであって、一端側であるその出力には、親機マイクアンプ２０６を経由して親機変調回路２０７の入力側が接続されており、その他端には、基準電位点が接続されている。また、親機マイクアンプ２０６は、親機マイク２０５に入力された音声（送話音声）信号を増幅するためのものである。さらに、親機変調回路２０７は、親機マイクアンプ２０６にて増幅された音声（送話音声）信号を、所定の周波数帯域の搬送波によって振幅変調し、親機直流阻止コンデンサ２１１に送出するためのものである。
【００２９】
親機スピーカ２０８は、親機２の使用者が子機１の使用者との間で通話を成立させるにあたって、子機１の使用者からの音声（受話音声）信号と、子機１からの呼出があることを判別した親機制御回路２１４にて生成される呼出音／呼出確認音としての呼出音信号とをそれぞれ出力／放音するものであって、一端側であるその入力には、親機スピーカアンプ２０９を経由して親機復調回路２１０の入力側と、呼出確認音用親機カップリングコンデンサ２１３の（−）側とがそれぞれ接続されており、他端側には、基準電位点が接続されている。また、親機スピーカアンプ２０９は、親機スピーカ２０８にて出力させる音声（受話音声）信号と、親機制御回路２１４にて生成される呼出音信号とをそれぞれ増幅するためのものである。さらに、親機復調回路２１０は、子機１から伝送路Ｌを経由し伝送されてくる音声（受話音声）信号を復調し、親機スピーカアンプ２０９に送出するためのものである。
【００３０】
親機直流阻止コンデンサ２１１は、親機変調回路２０７から伝送路Ｌに送出される音声（送話音声）信号に重畳された直流成分を遮断するとともに、伝送路Ｌを経由して子機１から伝送されてくる音声（受話音声）信号に重畳された直流成分を遮断し、親機復調回路２１０に送出するためのものである。また、親機インダクタ２１２は、親機スピーカアンプ２０７にて増幅された後、電圧レベル可変抵抗２０３を経由した親機電源回路２０２からの待受時電源に重畳されてベースバンドで伝送路Ｌに送出される呼出音信号の高周波成分を遮断するためのものである。また、呼出確認音用親機カップリングコンデンサ２１３は、前述の呼出音信号の直流成分を遮断するためのものである。さらに、親機制御回路２１４は、親機２の構成各部／回路を制御するためのものである。
【００３１】
このように構成された本発明の実施例によるドアホン装置において、以下、具体的な動作について、図１及び図２の電圧遷移図をそれぞれ参照して説明する。
【００３２】
図１に示す子機１の使用者から親機２の使用者への呼出しがない待受時において、親機２の親機制御回路２１４は、親機電源回路２０２にて生成される親機用電源として、待受時電源を当該親機の構成各部／回路に給電しているばかりでなく、電圧制御用トランジスタ２０４をオフ状態に制御しているため、親機電源回路２０２にて生成される子機用電源をもとに、例えば、数ｋΩの抵抗値を有する電圧レベル可変抵抗２０３を経由してその電圧レベルが可変された図２に示す待受時電源が、親機インダクタ２１２を経由して伝送路Ｌに重畳されている。なお、伝送路Ｌに重畳される待受時電源の電圧レベルは、電圧レベル可変抵抗２０３と子機１自体の直流抵抗分との分圧値となり、一定のレベルで保持されている。
【００３３】
また、前述の待受時において、子機１の使用者が呼出ボタン１００を操作すると、親機２から子機１を見た見かけ上のインピーダンスは、当該子機が有するインピーダンスと呼出負荷抵抗１０１との合成抵抗となるため、伝送路Ｌに重畳されている待受時電源の電圧レベルは、図２に示すように低下（電圧降下）する。
【００３４】
ここで、親機２の呼出検出回路２０１は、伝送路Ｌに重畳されている待受時電源のレベル低下（電圧降下）をもとに、子機１の使用者からの呼出があったことを検出し、その旨の呼出信号を親機制御回路２１４に送出する。この呼出信号を受信した親機制御回路２１４は、子機１の使用者からの呼出があり、その呼出が正常に当該親機にて検出されたことの呼出音／呼出確認音として呼出音信号を生成する。
【００３５】
また、親機２の親機制御回路２１４にて生成された呼出音信号は、親機スピーカアンプ２０９を経由して親機スピーカ２０８に送出され、前述の呼出音として放音されるとともに、親機スピーカアンプ２０９、呼出確認音用親機カップリングコンデンサ２１３、親機インダクタ２１２、伝送路Ｌ、子機１の子機インダクタ１１２、呼出確認音用子機カップリングコンデンサ１１３、呼出確認音・受話出力制御用トランジスタ１１４を経由して子機スピーカ１０５にベースバンドで送出され、前述の呼出確認音として放音される。
【００３６】
なお、前述のような子機１から親機２への呼出しがない待受時、呼出ボタン１００が操作された子機１から親機２への呼出時、及び子機１の子機スピーカ１０５から呼出確認音が放音される当該呼出確認音の受信時において、子機制御回路１１５は、電源入力制御用トランジスタ１０９をオフ状態のまま保持しているとともに、呼出確認音・受話出力制御用トランジスタ１１４についても、オン状態のまま保持している。
【００３７】
この制御により、子機１の子機電源回路１０８の入力側には、電源入力制御用コンデンサ１１０が接続されることはなく当該子機電源回路自体も動作しないことから、当該子機の構成各部／回路の動作も停止されているため、子機電源回路１０８の入力インピーダンスは、呼出確認音の周波数帯域に対して高インピーダンスに保持することができ、親機２から伝送路Ｌを経由して子機１にベースバンドで伝送される呼出音信号によって、子機スピーカ１０５を直接駆動させることができる。
【００３８】
したがって、子機１の呼出ボタン１００が操作される度に、待受時電源とは異なる高い電圧レベルの子機用電源、例えば、呼出時電源を親機２から子機１に給電する必要がなくなり、当該子機における消費電力を低減できる。
【００３９】
次に、前述の呼出音の放音を確認した親機２の使用者が通話ボタン２００を操作すると、この操作を検出した親機制御回路２１４は、親機電源回路２０２にて生成される通話時電源を当該親機の構成各部／回路に給電して、当該親機の通話機能２０５、２０６、２０７、２０８、２０９、２１０がそれぞれ能動となるように制御するとともに、電圧制御用トランジスタ２０４をオフ状態からオン状態に切り換え、電圧レベル可変抵抗２０３をバイパスすることにより、親機電源回路２０２にて生成される図２に示す通話時電源が、親機インダクタ２１２を経由して伝送路Ｌに重畳される。
【００４０】
子機１の子機制御回路１１５は、子機インダクタ１１２を経由して接続される伝送路Ｌに重畳されている通話時電源の電圧レベルをもとに、親機２の使用者による応答操作があったことを検出する。この子機制御回路１１５は、電源入力制御用トランジスタ１０９をオフ状態からオン状態に切り換えるとともに、呼出確認音・受話出力制御用トランジスタ１１４をオン状態からオフ状態に切り換えることにより、子機電源回路１０８の入力側に電源入力制御用コンデンサ１１０が接続されるため、親機２からの通話時電源が当該子機の構成各部／回路に給電され、当該子機の通話機能１０２、１０３、１０４、１０５、１０６、１０７がそれぞれ能動となる。
【００４１】
ここまでの制御により、親機２の親機マイク２０５から親機マイクアンプ２０６、親機変調回路２０７、親機直流阻止コンデンサ２１１、伝送路Ｌ、子機１の子機直流阻止コンデンサ１１１、子機復調回路１０７、子機スピーカアンプ１０６を経由して子機スピーカ１０５までの信号伝送ラインと、子機１の子機マイク１０２から子機マイクアンプ１０３、子機変調回路１０４、子機直流阻止コンデンサ１１１、伝送路Ｌ、親機２の親機直流阻止コンデンサ２１１、親機復調回路２１０、親機スピーカアンプ２０９を経由して親機スピーカ２０８までの信号伝送ラインとがそれぞれ形成され、形成された当該ラインを経由して搬送波で音声（送話音声、受話音声）信号を送受信することによって通話が成立する。
【００４２】
なお、前述のような通話を終了させるため、親機２の使用者が通話ボタン２００を操作する、若しくは、例えば、通話の開始から親機制御回路２１４にて計時中の所定の通話時間が経過したとき、又は、親機２の使用者が不在である場合のように、親機スピーカ２０８からの呼出音の放音を確認できず、例えば、親機制御回路２１４にて計時される所定の呼出時間が経過したとき、当該親機及び子機１は、待受状態に復旧することになる。
【００４３】
ここで、待受状態への復旧を検出した子機１の子機制御回路１１５の制御によれば、電源入力制御用トランジスタ１０９をオン状態のまま保持し、子機電源回路１０８の入力インピーダンスを、前述のような高インピーダンスに制御することができる。また、子機制御回路１１５は、呼出確認音・受話出力制御用トランジスタ１１４をオン状態のまま保持することにより、子機スピーカアンプ１０６及び子機復調回路１０７がそれぞれ非能動となる。
【００４４】
一方、待受状態への復旧を検出した親機２の親機制御回路２１４の制御によれば、親機電源回路２０２にて生成される待受時電源を当該親機の構成各部／回路に給電するばかりでなく、電圧制御用トランジスタ２０４をオフ状態に制御するため、電圧レベル可変抵抗２０３を経由してその電圧レベルが可変された図２に示す待受時電源が、親機インダクタ２１２を経由して伝送路Ｌに重畳されることなる。
【００４５】
前述までの説明から明らかなように、本発明の実施例によれば、子機１から親機２への呼出しがない待受時、子機１から親機２への呼出時、及び子機１の子機スピーカ１０５から呼出確認音が放音される当該呼出確認音の受信時において、子機電源回路１０８の動作を停止させるとともに、当該子機電源回路の入力インピーダンスを高インピーダンスに保持し、親機２から子機１に送出される呼出確認音をベースバンドで伝送させて子機スピーカ１０５を（直接）駆動することができ、子機１の消費電力を低減して省電力化が図られる。一方、子機１及び親機２の間で音声信号が送受信される通話の成立時には、親機２からの通話時電源が給電される子機電源回路１０８を動作させることにより、音声信号を搬送波で送受信することができる。
【００４６】
最後に、本発明のドアホン装置においては、特定の実施の形態をもって説明してきたが、この形態に限定されるものでなく、本発明の効果を奏する限り、これまで知られた如何なる構成のドアホン装置であっても採用できるということはいうまでもないことである。
【符号の説明】
【００４７】
１……子機
１０２……子機マイク
１０５……子機スピーカ
１０８……子機電源回路
１０９……電源入力制御用トランジスタ（高／低インピーダンス形成手段）
１１０……電源入力制御用コンデンサ（高／低インピーダンス形成手段）
１１３……呼出確認音用子機カップリングコンデンサ（確認音放音制御手段）
１１４……呼出確認音・受話出力制御用トランジスタ（確認音放音制御手段、受話出力制御手段）
１１５……子機制御回路（高／低インピーダンス形成手段、確認音放音／受話出力制御手段）
２……親機
２０５……親機マイク
２０８……親機スピーカ
２１４……親機制御回路
【図１】
2011205306.tif 000003
【図２】
2011205306.tif 000004